(57)【要約】【課題】かご内に外光が入射している状況下における誤動作を防止することができるエレベーターのかご内リモコン装置を提供する。【解決手段】エレベーターのかご内リモコン装置において、エレベーターのかご内に設けられ、赤外線リモコンから射出された赤外領域の所定の波長の電磁波からなる操作信号を受光して、赤外線検出信号を出力する赤外線受光部と、前記赤外線受光部から出力された前記赤外線検出信号に基づいて、前記赤外線受光部に前記操作信号以外の外光が入射しているか否かを判定する外光検出部と、前記外光検出部により前記赤外線受光部に前記外光が入射していると判定された場合に、前記赤外線受光部から出力された前記赤外線検出信号を、エレベーターの制御盤へと送信することを阻止する制御手段と、を備える。【選択図】図１
2013256357.tif 000002
【特許請求の範囲】
【請求項１】
エレベーターのかご内に設けられ、赤外線リモコンから射出された赤外領域の所定の波長の電磁波からなる操作信号を受光して、赤外線検出信号を出力する赤外線受光部と、
前記赤外線受光部から出力された前記赤外線検出信号に基づいて、前記赤外線受光部に前記操作信号以外の外光が入射しているか否かを判定する外光検出部と、
前記外光検出部により前記赤外線受光部に前記外光が入射していると判定された場合に、前記赤外線受光部から出力された前記赤外線検出信号を、エレベーターの制御盤へと送信することを阻止する制御手段と、を備えたことを特徴とするエレベーターのかご内リモコン装置。
【請求項２】
前記外光検出部は、前記赤外線受光部から出力された前記赤外線検出信号のデータが前記操作信号として予め規定されたものでない状態が、所定の個数以上連続して発生した場合に、前記赤外線受光部に前記外光が入射していると判定することを特徴とする請求項１に記載のエレベーターのかご内リモコン装置。
【請求項３】
前記かご内における前記赤外線受光部の近傍に設けられ、前記所定の波長以外の波長の電磁波を受光して、外光検出信号を出力する外光受光部を備え、
前記外光検出部は、前記赤外線受光部から出力された前記赤外線検出信号及び前記外光受光部から出力された前記外光検出信号に基づいて、前記赤外線受光部又はその近傍に前記操作信号以外の外光が入射しているか否かを判定し、
前記制御手段は、前記外光検出部により前記赤外線受光部又はその近傍に前記外光が入射していると判定された場合に、前記赤外線受光部から出力された前記赤外線検出信号を、エレベーターの制御盤へと送信することを阻止することを特徴とする請求項１又は請求項２のいずれかに記載のエレベーターのかご内リモコン装置。
【請求項４】
エレベーターのかご内に設けられ、赤外線リモコンから射出された赤外領域の所定の波長の電磁波からなる操作信号を受光して、赤外線検出信号を出力する赤外線受光部と、
前記かご内における前記赤外線受光部の近傍に設けられ、前記所定の波長以外の波長の電磁波を受光して、外光検出信号を出力する外光受光部と、
前記外光受光部から出力された前記外光検出信号に基づいて、前記赤外線受光部の近傍に前記操作信号以外の外光が入射しているか否かを判定する外光検出部と、
前記外光検出部により前記赤外線受光部の近傍に前記外光が入射していると判定された場合に、前記赤外線受光部から出力された前記赤外線検出信号を、エレベーターの制御盤へと送信することを阻止する制御手段と、を備えたことを特徴とするエレベーターのかご内リモコン装置。
【請求項５】
前記かご内に設けられ、前記外光検出部により前記赤外線受光部又はその近傍に前記外光が入射していると判定された場合に、その旨を表示する表示手段を備えたことを特徴とする請求項１から請求項４のいずれかに記載のエレベーターのかご内リモコン装置。
【請求項６】
前記かご内における前記赤外線受光部の設置箇所に着脱自在に設けられ、所定の方向からの前記外光の入射を遮断する外光遮断手段を備えたことを特徴とする請求項５に記載のエレベーターのかご内リモコン装置。
【発明の詳細な説明】
【技術分野】
【０００１】
この発明は、エレベーターのかご内リモコン装置に関するものである。
【背景技術】
【０００２】
従来のエレベーターには、エレベーター据付／保守作業専用の赤外線リモコンシステムを備えたものがある。この赤外線リモコンシステムは、かご操作盤のインジケータ（表示部）周辺に設けられた赤外線リモコン受光部と、操作信号送信用の赤外線リモコンとを有している。
【０００３】
この赤外線リモコンシステムを使用する際には、据付／保守作業者が、赤外線リモコンの発光部を赤外線リモコン受光部へと向けて赤外線リモコンのボタンを操作する。すると、操作されたボタンに対応した操作信号である赤外線が赤外線リモコンの発光部から射出される。そして、この赤外線（操作信号）が赤外線リモコン受光部に受光されると、この操作信号に従ってエレベーターの制御装置において据付／保守作業に必要な例えばエレベーター運転モードの切り替え等の各種設定が行われるようになっている。
【０００４】
赤外線リモコン受光部は、赤外線リモコンから射出される特定の赤外領域の波長の光信号を受光するものである。ここで、例えば展望用エレベーターのようなガラス張りのかごでは太陽光等の外光がかご内に入射しやすい。そして、かご内に入射した外光に赤外線リモコンシステムで使用している特定の赤外領域波長成分が含まれていると、この外光により赤外線リモコン受光部での正常な操作信号の受信が妨げられ、赤外線リモコンシステムが正常に動作しない場合がある。
【０００５】
なお、従来のエレベーターにおいて、太陽光等の外光がかご内に射し込むことによるかご内の照度変化の検出に関係するものとして、乗場呼びに対するサービスの可否を判定するに用いるかご内における乗客の乗り込めるスペースの算出において、かご床面の照度を測定する照度測定装置及びかご外に設置され昇降路内の照度を測定する照度測定装置の検出結果を用いるものが知られている（例えば、特許文献１参照）。
【先行技術文献】
【特許文献】
【０００６】
【特許文献１】特開２０１１−１６２２８２号公報
【発明の概要】
【発明が解決しようとする課題】
【０００７】
しかしながら、特許文献１に示されたものを含む従来のエレベーターにおいては、前述したようなかご内に設けられた赤外線リモコンシステムにおける外光等の攪乱による誤作動の問題については何ら考慮されていない。例えば、特許文献１に記載されたものにおいては、赤外線リモコンの操作場所や操作角度によって赤外線信号の受信強度が常に変化するというエレベーターのかご内で用いる赤外線リモコンシステムの事情が全く考慮されていないため、前述した問題を解決することはできない。
【０００８】
この発明は、このような課題を解決するためになされたもので、かご内に外光が入射している状況下における誤動作を防止することができるエレベーターのかご内リモコン装置を得るものである。
【課題を解決するための手段】
【０００９】
この発明に係るエレベーターのかご内リモコン装置においては、エレベーターのかご内に設けられ、赤外線リモコンから射出された赤外領域の所定の波長の電磁波からなる操作信号を受光して、赤外線検出信号を出力する赤外線受光部と、前記赤外線受光部から出力された前記赤外線検出信号に基づいて、前記赤外線受光部に前記操作信号以外の外光が入射しているか否かを判定する外光検出部と、前記外光検出部により前記赤外線受光部に前記外光が入射していると判定された場合に、前記赤外線受光部から出力された前記赤外線検出信号を、エレベーターの制御盤へと送信することを阻止する制御手段と、を備えた構成とする。
【００１０】
また、エレベーターのかご内に設けられ、赤外線リモコンから射出された赤外領域の所定の波長の電磁波からなる操作信号を受光して、赤外線検出信号を出力する赤外線受光部と、前記かご内における前記赤外線受光部の近傍に設けられ、前記所定の波長以外の波長の電磁波を受光して、外光検出信号を出力する外光受光部と、前記外光受光部から出力された前記外光検出信号に基づいて、前記赤外線受光部の近傍に前記操作信号以外の外光が入射しているか否かを判定する外光検出部と、前記外光検出部により前記赤外線受光部の近傍に前記外光が入射していると判定された場合に、前記赤外線受光部から出力された前記赤外線検出信号を、エレベーターの制御盤へと送信することを阻止する制御手段と、を備えた構成とする。
【発明の効果】
【００１１】
この発明に係るエレベーターのかご内リモコン装置においては、かご内に外光が入射している状況下における誤動作を防止することができるという効果を奏する。
【図面の簡単な説明】
【００１２】
【図１】この発明の実施の形態１に係るエレベーターのかご内リモコン装置の全体構成を模式的に示すブロック図である。
【図２】この発明の実施の形態１に係るエレベーターのかご内リモコン装置における赤外線受光部からの信号を基に赤外線受光部への外光の入射有無を判定する一例を示す図である。
【図３】この発明の実施の形態１に係るエレベーターのかご内リモコン装置の動作を示すフロー図である。
【図４】この発明の実施の形態２に係るエレベーターのかご内リモコン装置の全体構成を模式的に示すブロック図である。
【発明を実施するための形態】
【００１３】
この発明を添付の図面に従い説明する。各図を通じて同符号は同一部分又は相当部分を示しており、その重複説明は適宜に簡略化又は省略する。
【００１４】
実施の形態１．
図１から図３は、この発明の実施の形態１に係るもので、図１はエレベーターのかご内リモコン装置の全体構成を模式的に示すブロック図、図２はエレベーターのかご内リモコン装置における赤外線受光部からの信号を基に赤外光線光部への外光の入射有無を判定する一例を示す図、図３はエレベーターのかご内リモコン装置の動作を示すフロー図である。
【００１５】
図１において、１は、エレベーターの図示しないかごの内部に設置されたかご操作盤本体である。このかご操作盤本体１は、かご内の利用者が呼び登録操作や戸開閉操作を行うためのものである。かご操作盤本体１は、かご内の壁面、特に例えばかごの出入口の両側に設けられた袖壁の一方に配置される。なお、かごはエレベーターの図示しない昇降路内に昇降自在に配設されている。
【００１６】
かご操作盤本体１の前面パネルには、かご内の利用者が操作するための図示しないボタン類が設けられている。このボタン類には、例えば、行先階を指定して呼びを登録するための複数の階床ボタンや、ドアの開閉を指示するための戸開ボタン及び戸閉ボタン等が含まれている。
【００１７】
また、かご操作盤本体１の前面パネルには、かご内の利用者に対して各種の情報を表示するための表示部２が設けられている。この表示部２は例えばＬＣＤ（液晶ディスプレイ）や複数のＬＥＤ（発光ダイオード）から構成される。表示部２には、かごの現在の走行方向を示す矢印とかごの現在の位置（走行中では通過階床、停止中では停止階床）を表示するかご状態表示２ａが表示される。
【００１８】
エレベーターの据付／保守作業者は、専用の赤外線リモコン３を所持している。赤外線リモコン３には、据付／保守作業で必要な操作（例えば、エレベーターの運転モードの切り替え等）を行うためのボタンが設けられている。作業者が赤外線リモコン３のボタンを操作すると操作されたボタンに対応した操作信号４が赤外線リモコン３の発光部から射出される。操作信号４は赤外領域に属する所定の波長の電磁波（光波）すなわち赤外線である。
【００１９】
かご操作盤本体１には、赤外線リモコン３からの操作信号４（赤外線）を受光するための赤外線受光部５が設けられている。この赤外線受光部５は、操作信号４に用いられている所定の波長（赤外領域）の電磁波の受光を検出する光電センサ等から構成されている。赤外線受光部５は、かご操作盤本体１の前面における表示部２の周辺に配置されている。
【００２０】
なお、赤外線受光部５がかご操作盤本体１の前面に直接に露出しないように、赤外線受光部５の前面側に光透過板６が設けられている。この光透過板６は、少なくとも操作信号４に用いられている所定の波長の赤外線を透過させる性質を有する素材からなっている。
【００２１】
また、赤外線受光部５に隣接する近傍には、外光受光部７が設けられている。この外光受光部７は、かご内に入射する外光９を検出するためのものである。外光受光部７は、赤外線受光部５の受光の対象となっている（すなわち操作信号４に用いられている）赤外領域の所定の波長以外の電磁波を検出するものである。したがって、外光受光部７は赤外領域の所定の波長以外の可視光や紫外線を検出する光電センサ等から構成される。
【００２２】
なお、外光受光部７についても赤外線受光部５と同様、かご操作盤本体１の前面に直接に露出しないようにその前面に光透過板６を設けるようにしてもよい。この場合には、光透過板６は操作信号４に用いられている所定の波長の赤外線の他、外光受光部７で検出する波長の光も透過させるようにする必要がある。あるいは、赤外線受光部５と外光受光部７とでそれぞれ別々の光透過板を用いるようにすることもできる。
【００２３】
赤外線受光部５から出力される所定の波長の赤外線の検出信号及び外光受光部７から出力される外光の検出信号は、かご操作盤本体１が備える外光検出部８へと入力される。この外光検出部８は、入力された赤外線の検出信号及び外光の検出信号に基づいて、かご内のかご操作盤本体１における特に赤外線受光部５又はその近傍に外光が入射しているか否かを判定・検出するものである。
【００２４】
まず、外光検出部８は、外光受光部７からの外光の検出信号が入力されている場合には、かご操作盤本体１における特に赤外線受光部５の近傍に外光の入射があると判定する。一方、外光受光部７からの外光の検出信号が入力されていない場合には、外光検出部８は、かご操作盤本体１における特に赤外線受光部５の近傍への外光の入射はないと判定する。
【００２５】
なお、外光受光部７は必ずしも設けらなければならないものではなく、任意で設けることができるものである。そして、外光受光部７が設けられていない場合には、外光検出部８は赤外線受光部５から出力される赤外線の検出信号に基づいてかご操作盤本体１における特に赤外線受光部５への外光の入射の有無について判定を行う。
【００２６】
この、赤外線受光部５から出力される赤外線の検出信号に基づいた、かご操作盤本体１における特に赤外線受光部５への外光の入射の有無についての判定について、図２を参照しながら説明する。
【００２７】
ここで、赤外線受光部５から出力される赤外線の検出信号の状態には、「受信ＯＫ」、「受信ＮＧ」及び「受信なし」の３通りがある。「受信ＯＫ」は、赤外線受光部５により受信（受光）された信号が、予め操作信号として設定された規定のデータ構成となっている（受信エラーがない）状態である。「受信ＮＧ」は、赤外線受光部５により受信（受光）された信号が、予め操作信号として設定された規定のデータ構成となっていない（受信エラーが発生した）状態である。「受信なし」は、赤外線受光部５による受信（受光）自体がない場合である。
【００２８】
まず、外光検出部８は、赤外線受光部５からの信号データのそれぞれが、「受信ＯＫ」、「受信ＮＧ」及び「受信なし」のいずれの状態であるのかを識別する。そして、外光検出部８は、赤外線受光部５から受信した２以上の所定の個数の信号データを受信した順に１つにまとめたものを１パケットとして処理する。
【００２９】
そして、外光検出部８は、赤外線受光部５からの信号の１パケットを構成する信号データの状態が全て「受信ＮＧ」であった場合に、かご操作盤本体１における特に赤外線受光部５への外光の入射があると判定する。すなわち、「パケット」の語を用いずにこれを換言すれば、外光検出部８は、赤外線受光部５からの信号データが所定の個数以上連続してその状態が「受信ＮＧ」であった場合に、かご操作盤本体１における特に赤外線受光部５への外光の入射があると判定する。
【００３０】
この、外光検出部８における外光の入射の有無の判定について、いくつかの具体的な例を図２に示す。なお、ここでは、１パケットは、連続して受信した順に並べた５個の信号データから構成されているとする。この場合、１パケット分の信号の受信に要する時間は数１００ｍｓ程度である。まず、１パケットを構成する５個の連続した受信データ全ての状態が「受信ＯＫ」であった場合、外光検出部８は外光無しと判定する（ケース１）。
【００３１】
次に、１パケットを構成する５個の連続した受信データの始めの３個の状態が「受信ＯＫ」で、後の２個の状態が「受信ＮＧ」であった場合も、外光検出部８は外光無しと判定する（ケース２）。このケース２の場合は、例えば、赤外線リモコン３から出力される操作信号４が手振れ等によって瞬間的に正常に受光できなかっただけの場合が想定される。
【００３２】
１パケットを構成する５個の連続した受信データの始めの３個の状態が「受信ＮＧ」で、後の２個の状態が「受信なし」であった場合も、外光検出部８は外光無しと判定する（ケース３）。このケース３の場合は、ケース２の場合と同様に、赤外線リモコン３から出力される操作信号４が手振れ等によって瞬間的に正常に受光できなかっただけの場合に起こり得る。
【００３３】
また、１パケットを構成する５個の連続した受信データ全ての状態が「受信なし」であった場合も、外光検出部８は外光無しと判定する（ケース４）。このケース４の場合は、例えば、単に赤外線リモコン３を使用しておらず、かつ、外光も入射していない状態が想定されるため「外光なし」と判断する。
【００３４】
そして、１パケットを構成する５個の連続した受信データ全ての状態が「受信ＮＧ」であった場合に、外光検出部８は外光有りと判定する（ケース５）。このケース５の場合は、外光が常に赤外線受光部５に入射されている状態であるために「受信ＮＧ」となっていることが想定されるため「外光有り」との判断になる。
【００３５】
なお、ケース２、３のように１パケットを構成する５個の連続した受信データのうちの一部の状態が「受信ＮＧ」であった場合、もし真に外光９が赤外線受光部５に入射しているのであれば、その後に受信するパケットがケース５に該当することとなり、極わずかな時間の後すぐにケース５に至り「外光有り」であることを検出することができる。
【００３６】
また、赤外線受光部５からの受信データの状態変化が著しく速いような場合や、受信データの状態が不規則である状態が継続した場合にも、「外光有り」と判定するようにしてもよい。
【００３７】
さらにまた、ここでは、１パケットを５個の連続データからなるものとしたが、１パケットを構成する連続受信データの所定の個数を増やすことにより外光検出の正確度を向上することができる。ただし、１パケットを構成する連続受信データの個数を増やすることで、１パケットのデータ処理に要する時間は長くなる。そこで、外光検出の正確度とデータ処理時間の双方を鑑みた上で、１パケットの構成するデータ個数を適切なものに決定することが望ましい。
【００３８】
図３のフロー図は、この実施の形態における、かご操作盤本体１が備える外光検出部８における外光有無判定処理動作をまとめたものである。前述したように、外光受光部７は設けられている場合と設けられていない場合の２通りがある。そこで、まず、ステップＳ１において、外光検出部８は、外光受光部７が設けられているか否かを自動的に判別して、外光入射有無の判定に外光受光部７からの信号を使用するか否かを自動的に設定する。
【００３９】
具体的に例えば、外光受光部７を外光検出部８に接続すると電気信号ラインがＨ（Ｈｉｇｈ）レベルに固定され、外光受光部７からはＨレベルを基点として電気信号が外光検出部８に出力される。一方、外光受光部７が外光検出部８に接続されていない状態では、電気信号ラインはＬ（Ｌｏｗ）レベルに固定される。そして、外光検出部８は電気信号ラインがＬレベルに固定されている状態を検出することで、外光受光部７が接続されていないことを検出することができる。
【００４０】
続くステップＳ２においては、外光検出部８は、ステップＳ１での自動設定の結果を参照し、外光受光部７が設けられているか否かを確認する。外光受光部７が設けられている場合にはステップＳ３へと進む。
【００４１】
このステップＳ３においては、外光検出部８は、外光受光部７から出力された外光の検出信号が入力されているか否かを識別する。前述した外光受光部７を外光検出部８に接続すると電気信号ラインがＨレベルに固定される例の場合、外光受光部７からの電気信号ラインがＨレベルのままであれば、外光受光部７からの信号は無しである。一方、外光受光部７からの電気信号ラインがＨレベルとＬレベルとで交互に変化するような状態ならば、外光受光部７からの信号は有りとなる。なお、ここでは、外光受光部７からの信号の有無のみを識別すればよく、信号データの解析まで実施する必要はない。
【００４２】
続くステップＳ４においては、外光検出部８は、ステップＳ３での識別の結果を参照し、外光受光部７からの検出信号が入力されていないか否かを確認する。外光受光部７からの検出信号が入力されていない場合には、ステップＳ１０に至り、外光検出部８は「外光無し」と判定する。一方、外光受光部７からの検出信号が入力されている場合には、ステップＳ１１に至り、外光検出部８は「外光有り」と判定する。
【００４３】
ステップＳ２において外光受光部７が設けられていない場合にはステップＳ５へと進む。このステップＳ５においては、外光検出部８は、赤外線受光部５から出力された赤外線の検出信号が入力されているか否かを識別する。前述した外光受光部７の場合と同様に、例えば、赤外線受光部５からの電気信号ラインの基点がＨレベルである場合、赤外線受光部５からの電気信号ラインがＨレベルのままであれば、赤外線受光部５からの信号は無しである。一方、赤外線受光部５からの電気信号ラインがＨレベルとＬレベルとで交互に変化するような状態ならば、赤外線受光部５からの信号は有りとなる。なお、ここでも、赤外線受光部５からの信号の有無のみを識別すればよく、信号データの解析まで実施する必要はない。
【００４４】
続くステップＳ６においては、外光検出部８は、ステップＳ５での識別の結果を参照し、赤外線受光部５からの検出信号が入力されているか否かを確認する。赤外線受光部５からの検出信号が入力されていない場合にはステップＳ１２に至り、外光検出部８は「外光無し」と判定する。一方、赤外線受光部５からの検出信号が入力されている場合には、ステップＳ７へと進む。
【００４５】
このステップＳ７においては、外光受光部７は、赤外線受光部５から入力されている検出信号の状態が正常であるか異常であるのかを識別する。より詳しくは、赤外線受光部５からの信号の１パケットを構成する信号データの状態が全て「受信ＮＧ」であった場合、すなわち、赤外線受光部５からの信号データが所定の個数以上連続してその状態が「受信ＮＧ」であった場合に、検出信号の状態が異常であるとし、そうでない場合に検出信号の状態は異常でない（正常である）とする。この識別の具体的な例について既に図２を参照しながら説明した通りである。
【００４６】
続くステップＳ８においては、外光検出部８は、ステップＳ７での識別の結果を参照し、赤外線受光部５から入力されている検出信号の状態が正常であるか否かを確認する。赤外線受光部５から入力されている検出信号の状態が正常である場合にはステップＳ１３に至り、外光検出部８は「外光無し」と判定する。一方、赤外線受光部５から入力されている検出信号の状態が正常でない（異常である）場合にはステップＳ１４に至り外光検出部８は「外光有り」と判定する。
【００４７】
なお、ここでは、ステップＳ５にはステップＳ２で外光受光部７が設けられていない場合に進む場合について説明したが、外光受光部７が設けられている場合であっても、ステップＳ４で外光受光部７からの信号が入力されない場合にも、ステップＳ５へと進んで赤外線受光部５からの信号に基づいた処理を行うようにすることもできる。
【００４８】
このようにして、外光検出部８は、赤外線受光部５や外光受光部７の検出結果に基づいて、かご操作盤本体１における特に赤外線受光部５又はその近傍への外光の入射があるか否かを判定する。そして、この判定の結果が、かご操作盤本体１における特に赤外線受光部５又はその近傍への外光の入射がないというものであった場合には、外光検出部８は、入力された赤外線受光部５からの赤外線の検出信号すなわち操作信号を、かご操作盤本体１が備える制御回路１０へと送信する。
【００４９】
かご操作盤本体１が備える制御回路１０は、かご操作盤本体１の動作やエレベーターの運行を制御する制御盤／監視盤との通信等を制御している。制御回路１０は、かご操作盤本体１の表示部２での表示内容も制御しており、制御盤／監視盤から取得した情報に従ってかご状態表示２ａを更新する。
【００５０】
外光検出部８から送信された赤外線受光部５からの赤外線の検出信号（操作信号）は、制御回路１０を経て制御盤／監視盤へと送信される。制御盤／監視盤はこの操作信号に従って例えばエレベーターの運転モードの切り替え等、予め定められた所定の動作・処理を実施する。
【００５１】
一方、外光検出部８での判定の結果が、かご操作盤本体１における特に赤外線受光部５又はその近傍への外光の入射があるというものであった場合には、外光検出部８は、制御回路１０へと外光有りの旨の信号のみを送信し、赤外線受光部５や外光受光部７での検出信号は送信しない。
【００５２】
したがって、この場合には、制御回路１０から操作信号が制御盤／監視盤へと送信されることがなく、かご操作盤本体１から制御盤／監視盤への操作信号の送信が阻止されることとなるため、外光の影響を受けた誤った操作信号による誤動作の心配がない。
【００５３】
また、外光検出部８から、外光有りの旨の信号を受信した制御回路１０は、表示部２を制御してかご状態表示２ａの下方に外光検出表示２ｂを表示させる。この外光検出表示２ｂは例えば「外光あり」といった作業者に外光受光部７への外光入射を報知する内容となっている。作業者はこの外光検出表示２ｂを確認することで、赤外線リモコン３によるエレベーター操作に外光が影響する可能性を知ることができる。
【００５４】
なお、表示部２にかご状態表示２ａと外光検出表示２ｂを同時に表示するだけのスペースがない場合には、表示部２の同一箇所に、かご状態表示２ａと外光検出表示２ｂとを交互に切り替えて表示させるようにしてもよい。
【００５５】
なお、赤外領域の波長の光を含む外光９の光源としては、太陽光の他、かご内の天井に設置された白熱電球灯も含まれる。
また、以上においては、外光検出表示２ｂを行う表示部２、赤外線受光部５及び外光受光部７を、かご操作盤本体１に配置した場合について説明したが、これらはかご操作盤本体１でなくとも、かご内の所定の位置に配置されていればよい。
【００５６】
太陽光等などの外光がかご内に入射した状況下においては、外光に含まれる赤外線波長の光信号が光透過板を透過して赤外線受光部に受光し、電気信号に変換されて制御回路に入力されることになる。この外光は照明やモーター等のインバーターノイズといった一般的なノイズ信号とは異なり、一時的にではなく継続的に入射されるものであり、それに伴い継続的に外光由来の電気信号が制御回路に入力されることとなる。
【００５７】
そのような状況下においては、赤外線リモコンから射出する操作信号を赤外線受光部で正常に受光することができなくなる。そして、外光の継続性から制御回路にも継続的に外光由来の電気信号が入力されてしまうため、コード識別や２度読み処理などの一般的なノイズ対策では誤動作を生じる可能性がある。
【００５８】
そこで、以上のように構成されたエレベーターのかご内リモコン装置は、エレベーターのかご内に設けられ、赤外線リモコンから射出された赤外領域の所定の波長の電磁波からなる操作信号を受光して、赤外線検出信号を出力する赤外線受光部と、赤外線受光部から出力された赤外線検出信号に基づいて、赤外線受光部に操作信号以外の外光が入射しているか否かを判定する外光検出部と、外光検出部により赤外線受光部に外光が入射していると判定された場合に、赤外線受光部から出力された赤外線検出信号を、エレベーターの制御盤へと送信することを阻止する制御回路と、を備えている。
【００５９】
また、かご内における赤外線受光部の近傍に設けられ、所定の波長以外の波長の電磁波を受光して、外光検出信号を出力する外光受光部と、外光受光部から出力された外光検出信号に基づいて、赤外線受光部の近傍に操作信号以外の外光が入射しているか否かを判定する外光検出部と、外光検出部により赤外線受光部の近傍に外光が入射していると判定された場合に、赤外線受光部から出力された赤外線検出信号を、エレベーターの制御盤へと送信することを阻止する制御回路と、を備えている。
【００６０】
このため、かご内に外光が入射している状況下において、この外光が赤外線リモコンの操作信号の受信に影響を与える可能性がある状態であることを検出し誤動作を防止することができる。
【００６１】
さらに、上述したような外光受光部を用いたり、赤外線検出信号のデータが操作信号として予め規定されたものでない状態が、所定の個数以上連続して発生したか否かという受信エラーの頻度やデータ変化状況を加味した判断を行ったりすることで、赤外線リモコンの操作場所や操作角度によって操作信号の受信強度が変化するような場合であっても、外光が赤外線リモコンの操作信号の受信に影響を与える可能性がある状態であることを正確に検出することが可能である。
【００６２】
実施の形態２．
図４は、この発明の実施の形態２に係るもので、エレベーターのかご内リモコン装置の全体構成を模式的に示すブロック図である。
【００６３】
前述した実施の形態１の構成によれば、外光検出部８により赤外線受光部５への外光９の影響が検出されると外光検出表示２ｂが表示されるため、作業者はこの外光検出表示２ｂを確認することで赤外線リモコン３によるエレベーター操作に外光が影響する可能性があることを知ることができるわけであるが、外光９が入射している状態では赤外線リモコン３による操作を全く行うことができないというのでは甚だ不便である場合がある。
【００６４】
そこで、ここで説明する実施の形態２においては、図４に示すように、かご操作盤本体１の赤外線受光部５設置部分に、外光遮断治具１１を着脱自在に取り付けることにより、外光９の赤外線受光部５への影響を遮断して、赤外線リモコン３による操作を誤動作等なく行うことができるようになっている。外光遮断治具１１は下方（かご床面側）に開口が設けられたフード状の部材であり、その外装は少なくとも操作信号４で用いる所定の波長の赤外線を遮断する性質を持つ素材からなっている。
【００６５】
外光遮断治具１１の形状を下方に開口があるフード状としたのは、外光９は、上方や側方から入射してくることが多く下方からは比較的入射しにくいという理由からである。外光遮断治具１１内には、外光遮断治具１１の下方から入射してきた赤外線リモコン３からの操作信号４を、赤外線受光部５へと正しく入射させるための赤外光反射板１１ａが設けられている。
【００６６】
外光遮断治具１１は必要時、すなわち、外光検出部８により外光９が検出されて表示部２に外光検出表示２ｂが表示されたときに取り付けられ、エレベーターの通常運転時（外光９の未検出時）には取り外しておくものである。このため、前述したように外光遮断治具１１は着脱自在にかご操作盤本体１に取り付けられる。その取り付け方法としては、例えば外光遮断治具１１のフランジ部とかご操作盤本体１の前面とを両面テープ等で一時的に貼り付ける方法でもよいし、かご操作盤本体１の前面の金属部分（フェースプレート）に磁石で固定する方法でもよい。
なお、他の構成については実施の形態１と同様であって、その詳細説明は省略する。
【００６７】
以上のように構成されたエレベーターのかご内リモコン装置は、実施の形態１の構成において、かご内における赤外線受光部の設置箇所に着脱自在に設けられ、所定の方向からの外光の入射を遮断する外光遮断手段である外光遮断治具を備えたものである。
【００６８】
このため、実施の形態１と同様の効果を奏することができるのに加えて、さらにかご内に外光が入射している状況下において、この外光が赤外線リモコンの操作信号の受信に影響を与える可能性がある状態であっても、外光遮断治具を使用することで誤動作を防止しつつ赤外線リモコンを用いた操作を行うことができる。
【符号の説明】
【００６９】
１    かご操作盤本体
２    表示部
２ａ  かご状態表示
２ｂ  外光検出表示
３    赤外線リモコン
４    操作信号
５    赤外線受光部
６    光透過板
７    外光受光部
８    外光検出部
９    外光
１０    制御回路
１１    外光遮断治具
１１ａ  赤外光反射板
【図１】
2013256357.tif 000003
【図２】
2013256357.tif 000004
【図３】
2013256357.tif 000005
【図４】
2013256357.tif 000006